(57)【要約】【課題】シートの綴じ付けが容易に行うことができる綴じ片を提供する。【解決手段】ノート類の綴じ具に綴じ付けるための綴じ片であって、  第１方向Ｘに延びる基辺４ａに沿って複数の綴じ穴４ｂを配列した基部４と、  この基部４から、第１方向Ｘと直交する第２方向Ｙへ延びる先部６とを含み、  前記基部４は、各綴じ穴４ｂから前記基辺４ａに亘って前記綴じ具挿通用の切り込み線４ｃを有するとともに、前記綴じ具１２を挿通させた後に前記切り込み線が閉じる程度の保形性を有しており、  前記先部６の片面には粘着層Ｃが形成されている。【選択図】図１
2020097120.tif 000002
【特許請求の範囲】
【請求項１】
ノート類の綴じ具に綴じ付けるための綴じ片であって、
第１方向(Ｘ)に延びる基辺(４ａ)に沿って複数の綴じ穴(４ｂ)を配列した基部(４)と、
この基部(４)から、第１方向(Ｘ)と直交する第２方向(Ｙ)へ延びる先部(６)とを含み、
前記基部(４)は、各綴じ穴(４ｂ)から前記基辺(４ａ)に亘って前記綴じ具挿通用の切り込み線(４ｃ)を有するとともに、前記綴じ具(１２)を挿通させた後に前記切り込み線が閉じる程度の保形性を有しており、
前記先部(６)の片面には粘着層(Ｃ)が形成されたことを特徴とする、綴じ片。
【請求項２】
前記基部(４)及び前記先部(６)からなる綴じ片全体を、主層(Ａ)と表面層(Ｂ)との間に粘着層(Ｃ)を介在させた３層構造に形成し、
前記表面層(Ｂ)に前記基部(４)と前記先部(６)との境界線となる弱化線(Ｗ)を形成して、先部６)側の表面層部分を除去することで、前記粘着層(Ｃ)が露出されるように設け、
前記基部(４)では、前記主層(Ａ)と粘着層(Ｃ)と表面層(Ｂ)とを穿設して前記綴じ穴(４ｂ)及び切り込み線(４ｃ)が形成されたことを特徴とする、請求項１に記載の綴じ片。
【請求項３】
請求項１又は請求項２に記載の綴じ片(２)と、
複数の間欠リング体(１４)を、各間欠リング体(１４)の間欠部(１４ａ)が相互に隣接する位置に配置される様に連結部(１６)を介して連結させてなる綴じ具(１２)とからなり、
前記間欠リング体(１４)の個数を、各綴じ具(１２)が有する綴じ穴(４ｂ)の個数以上とし、
前記綴じ片(２)の各綴じ穴(４ｂ)に前記綴じ具(１２)の間欠リング体(１４)を挿通させてなることを特徴とする綴じ具及び綴じ片の組み合わせ。
【請求項４】
請求項３に記載された一対の綴じ具及び綴じ片の組み合わせと、
基端に沿って複数の挿通穴を配列させたリーフ(１０２)とを具備し、
当該リーフ(１０２)の基端の長手方向の両側にそれぞれ綴じ具(１２)を連結させたことを特徴とする、綴じ片付きノート類。
【請求項５】
請求項１に記載された複数の綴じ片(２)を積層させ、各綴じ片(２)の先部(６)同士を前記粘着層(Ｃ)を介して連結させてなる、綴じ片積層体。
【発明の詳細な説明】
【技術分野】
【０００１】
本発明は、綴じ片、綴じ具及び綴じ片の組み合わせ、綴じ片付きノート類、並びに綴じ片積層体に関する。
【背景技術】
【０００２】
綴じ具付きのノートとして、背板の両端から折り目線を介して表表紙及び裏表紙を突出するとともに、前記背板の裏面の少なくとも上端寄り及び下端寄りの二箇所に、リング式の綴じ具をそれぞれ設けたものが知られている（特許文献１）。
【先行技術文献】
【特許文献】
【０００３】
【特許文献１】特開２０１１−１９４８６３
【発明の概要】
【発明が解決しようとする課題】
【０００４】
特許文献１のノートは、同一サイズの綴じ穴付きのシートを綴じるためのものである。
しかしながら、市場においては、
（１）綴じ穴付きのシートの他に綴じ穴を有しない紙類を綴じ込むこと
（２）本来のサイズ（例えばＡ４）のシートに加えて倍のサイズ（例えばＡ３）のシートを２つ折りして綴じ込むこと
などの自由度の高い綴じ方を可能とする商品が求められている。
また特許文献１では、綴じ具に止めるシートの種類として、ポケット形式のホルダーを提案している。
例えばＡ４サイズのポケット形式のホルダーにＡ３サイズのシートを折り畳んで収納することもできない訳ではないが、収納した状態のままで当該シートにメモなどを書き込むことができないという不便がある。
さらにＡ４サイズの通常のノートの隣り合う２ページに亘ってＡ３サイズの紙製シートを貼り付けるということも考えられるが、徒らにノートのページを潰すことになり、経済的ではない。
【０００５】
さらにノート類の綴じ具に対して紙製のシートの綴じ穴を直接留めると、その綴じ穴の周辺のシート部分が破れてしまう可能性がある。
【０００６】
本発明の第１の目的は、シートの綴じ付けが容易に行うことができる綴じ片を提供することである。
本発明の第２の目的は、綴じ穴の周囲が破損しにくい綴じ片を提供することである。
本発明の第３の目的は、使い勝手の良い綴じ片付きノート類を提供することである。
本発明の第４の目的は、剥離シートを用いずに粘着層を保護できる綴じ片積層体を提供することである。
【課題を解決するための手段】
【０００７】
第１の手段は、ノート類の綴じ具に綴じ付けるための綴じ片であって、
第１方向Ｘに延びる基辺４ａに沿って複数の綴じ穴４ｂを配列した基部４と、
この基部４から、第１方向Ｘと直交する第２方向Ｙへ延びる先部６とを含み、
前記基部４は、各綴じ穴４ｂから前記基辺４ａに亘って前記綴じ具挿通用の切り込み線４ｃを有するとともに、前記綴じ具１２を挿通させた後に前記切り込み線が閉じる程度の保形性を有しており、
前記先部６の片面には粘着層Ｃが形成されている。
【０００８】
本手段では、図１に示す如く、綴じ片２の基部４には、その一辺である基辺４ａに沿って複数の綴じ穴４ｂを配列するとともに、各綴じ穴４ｂから前記基辺４ａに亘って綴じ具挿通用の切り込み線４ｃを設けたから、当該綴じ具への綴じ付けが簡単である。
また先部６は、前記基部４から第２方向Ｙ（前記基辺４ａが延びる第１方向Ｘと直交する方向）へ延びており、当該先部６に粘着層Ｃを形成しているから、当該粘着層Ｃに紙類などのシート１０４を保持させることができる。
従って綴じ片２を介して前記シート１０４を前記綴じ具１２へ容易に綴じ付けることができる。
【０００９】
第２の手段は、前記基部４及び前記先部６からなる綴じ片全体を、主層Ａと表面層Ｂとの間に粘着層Ｃを介在させた３層構造に形成し、
前記表面層Ｂに前記基部４と前記先部６との境界線となる弱化線Ｗを形成して、先部６側の表面層部分を除去することで、前記粘着層Ｃが露出されるように設け、
前記基部４では、前記主層Ａと粘着層Ｃと表面層Ｂとを穿設して前記綴じ穴４ｂ及び切り込み線４ｃが形成されている。
【００１０】
本手段では、基部４及び先部６からなる綴じ片全体を、主層Ａと表面層Ｂとの間に粘着層Ｃを介在させた３層構造に形成することを提案する。そして前記表面層Ｂのうちで先部６にある部分は剥離シートとしての役割を有する。また表面層のうちで基部４に在る部分は、前記剥離シートが除去された後でも基部４に残り、補強の役割を担う。すなわち、切込み線及び綴じ穴４ｂを有する基部４を、主層Ａと粘着層Ｃと表面層Ｂとの三層構造としたため、単に主層のみで形成した場合に比べて、前記綴じ穴４ｂの周囲の部分が破れにくい。
【００１１】
第３の手段は、綴じ具及び綴じ片の組み合わせであって、
第１の手段又は第２の手段に記載の綴じ片２と、
複数の間欠リング体１４を、各間欠リング体１４の間欠部１４ａが相互に隣接する位置に配置される様に連結部１６を介して連結させてなる綴じ具１２とからなり、
前記間欠リング体１４の個数を、各綴じ具１２が有する綴じ穴４ｂの個数以上とし、
前記綴じ片２の各綴じ穴４ｂに前記綴じ具１２の間欠リング体１４を挿通させてなる。
【００１２】
本手段では、図２（Ｂ）に示す綴じ具及び綴じ片の組み合わせを提案する。この組み合わせは、前記第１の手段又は第２の手段に記載した綴じ片２と、複数の間欠リング体１４を、各間欠リング体１４の間欠部１４ａが相互に隣接する位置に配置される様に連結部１６を介して連結させてなる綴じ具１２とからなる。
そして図２（Ａ）に示す如く、前記綴じ片２の各綴じ穴４ｂに前記綴じ具１２の間欠リング体１４を挿通させるから、ノート類１００のリーフ１０２（表紙１０２Ａ、１０２Ｂ又はルーズリーフ１０２Ｃ）とシート１０４とを容易に連結することができる。
【００１３】
第４の手段は、綴じ片付きノート類であって、
第３の手段に記載された一対の綴じ具及び綴じ片の組み合わせと、
基端に沿って複数の挿通穴を配列させたリーフ１０２とを具備し、
当該リーフ１０２の基端の長手方向の両側にそれぞれ綴じ具１２を連結させている。
【００１４】
本手段は、図４に示す綴じ片付きノート類を提案する。
当該ノート類は、一対の綴じ具及び綴じ片の組み合わせと、基端に沿って複数の挿通穴を配列させたリーフ１０２とを具備する。
そして当該リーフ１０２の基端の長手方向の両側にそれぞれ綴じ具１２を連結させて綴じ片２付きのノート類１００を構成したから、このノート類１００のリーフ１０２の２倍の大きさのシート１０４を追加するときに、綴じ具１２に直接綴じる代わりに、綴じ片２を介して間接的に留め付けることができるので（図６（Ａ）参照）、従来のバインダーのように綴じ代ｄを考慮してシート１０４を折る位置を考慮する必要がなく（同図（Ｂ）参照）、単にシート１０４の中心線Оで２つ折りすれば良いので、使い勝手が良い。
【００１５】
第５の手段は、綴じ片積層体であって、第１の手段に記載された複数の綴じ片２を積層させ、各綴じ片２の先部６同士を前記粘着層Ｃを介して連結させてなる。
【００１６】
本手段は、図４に示す綴じ片積層体を提案する。
この積層体は、複数の綴じ片２を積層させ、各綴じ片２の先部６同士を前記粘着層Ｃを介して連結させて綴じ片積層体３０を構成したから、各綴じ片２の粘着層Ｃを剥離シートで保護する必要がない。
【発明の効果】
【００１７】
第１の手段に係る発明によれば、綴じ片２の基部４には、その一辺である基辺４ａに沿って複数の綴じ穴４ｂを配列するとともに、各綴じ穴４ｂから前記基辺４ａに亘って綴じ具挿通用の切り込み線４ｃを設けたから、当該綴じ具への綴じ付けが簡単であり、また先部６は、前記基部４からへ延びており、当該先部６に粘着層Ｃを形成しているから、当該粘着層Ｃに紙類などのシート１０４を保持させることができ、従って綴じ片２を介して前記シート１０４を前記綴じ具１２へ容易に綴じ付けることができる。
第２の手段に係る発明によれば、基部４及び先部６からなる綴じ片全体を、主層Ａと表面層Ｂとの間に粘着層Ｃを介在させた３層構造に形成しているから、前記綴じ穴４ｂの周囲の部分が破れにくい。
第３の手段に係る発明によれば、前記綴じ片２と、複数の間欠リング体１４を、各間欠リング体１４の間欠部１４ａが相互に隣接する位置に配置される様に連結部１６を介して連結させてなる綴じ具１２とからなり、前記綴じ片２の各綴じ穴４ｂに前記綴じ具１２の間欠リング体１４を挿通させたから、これら綴じ具１２及び綴じ片２の組み合わせにより、ノート類１００のリーフ１０２とシート１０４とを容易に連結することができる。
第４の手段に係る発明によれば、一対の綴じ具及び綴じ片の組み合わせと、基端に沿って複数の挿通穴を配列させたリーフ１０２とを具備し、当該リーフ１０２の基端の長手方向の両側にそれぞれ綴じ具１２を連結させて綴じ片２付きのノート類１００を構成したから、このノート類１００のリーフ１０２の２倍の大きさのシート１０４を追加するときに、綴じ具１２に直接綴じる代わりに、綴じ片２を介して間接的に留め付けることができ、単にシート１０４の中心線Оで２つ折りすれば良いので、使い勝手が良い。
第５の手段に係る発明によれば、複数の綴じ片２の先部６同士を前記粘着層Ｃを介して連結させて綴じ片積層体３０を構成したから、各綴じ片２の粘着層Ｃを剥離シートで保護する必要がない。
【図面の簡単な説明】
【００１８】
【図１】本発明の実施形態に係る綴じ片の構成を示す図であり、同図（Ａ）は綴じ片の正面図を、同図（Ｂ）は綴じ片の断面図である。
【図２】本発明の実施形態に係る綴じ片及び綴じ具の組み合わせを示す図であり、同図（Ａ）は、図１の綴じ片及び綴じ具が結合する前の状態を、同図（Ｂ）は、綴じ片及び綴じ具が結合した状態をそれぞれ示している。
【図３】本発明の実施形態に係る綴じ片付きノート類の要部拡大図である。
【図４】本発明の実施形態に係る綴じ片積層体の斜視図である。
【図５】本発明の実施形態に係る綴じ片及び綴じ具の組み合わせ本発明の綴じ具に連結保持具を取り付けた実施例を示す図である。
【図６】本発明の実施形態に係る綴じ片及び綴じ具の組み合わせの使用方法の説明図であり、同図（Ａ）は、本発明の綴じ片及び綴じ具の組み合わせを用いて、所定のサイズのノート類に２倍のサイズのシートを留める場合を、同図（Ｂ）は、比較例として、従来のバインダーに２倍のサイズのシートを留める場合をそれぞれ示している。
【発明を実施するための最良の形態】
【００１９】
図１は、本発明の実施形態に係る綴じ片２を示している。図示例の綴じ片２は、第１方向Ｘに長い帯板状であり、第１方向と直交する第２方向Ｙの両側に、第１方向に直線的に延びる基辺４ａ及び先辺６ａを有する。もっともこれらの形状は適宜変更することができる。前記綴じ片２のうちで基辺４ａ寄りの一方半部（基部４）には、複数の綴じ穴４ｂが開口されており、また少なくとも先辺６ａ寄りの他半部（先部６）には粘着層Ｃが形成されている。
図示例では、前記先部６の第２方向Ｙの幅を、前記基部４の第２方向Ｙの幅よりも大きく設定している。シートとの粘着面積を大きくすることで、より大きなシート保持力を確保するためである。
前記複数の綴じ穴４ｂは、前記基辺４ａに沿って第１方向Ｘに等間隔に配置されている。図示例では、４個の綴じ穴４ｂが形成されているが、後述の綴じ具１２に対する綴じ片２の姿勢をコントロールするために、少なくとも２つの綴じ穴４ｂがあれば足りる。図示例の綴じ穴４ｂは、四角形状であるが、その形状は適宜変更することができる。
各綴じ穴４ｂから前記基辺４ａまではそれぞれ第２方向に延びる切り込み線４ｃが形成されている。これらの切り込み線４ｃは、前記基部４の表側から裏側まで切断した切り割り線或いはスリットであり、後述の綴じ具１２の間欠リング体１４を前記基辺４ａから前記綴じ穴４ｂまで挿入することが可能に形成している。
前記基部４は、図２（Ａ）に示すように切り込み線４ｃを強制的に拡開して前記間欠リング体１４を挿通させた後に、切り込み線４ｃが自発的に綴じるだけの保形性（又は復元性）を有する。そうしなければ、前記間欠リング体１４を前記綴じ穴４ｂ内に保持することができないからである。
さらに前記基部４は、前記綴じ穴４ｂの周囲（特に前記綴じ穴４ｂと前記基辺４ａとの間の部分）が破れない程度の剛性を有することが望ましい。
好適な図示例では、綴じ片２を、主層Ａと表面層Ｂとの間に粘着層Ｃを介在させたほぼ三層構造とするとともに、表面層Ｂのうちの基部４及び先部６の境界部分に弱化線Ｗを形成し、先部６の表面層部分（第２表層部分ｂ２）を剥がすことで、前記粘着層Ｃを露出させることができるように構成している。
“ほぼ三層構造”といった理由は、前記綴じ片２のうちで前記先辺６ａ近傍の部分に関しては粘着層Ｃを省略できるからである。
この構成において、前記表面層Ｂのうちで前記先部６に在る第２表層部分ｂ２は、前記粘着層Ｃを保護するとともに、剥離作業により前記粘着層Ｃを表側へ露出させる剥離シートとしての機能を有する。また表面層Ｂのうちで前記基部４に在る部分（第１表層部分ｂ１）は、粘着層Ｃを介して主層Ａに粘着することにより、基部４の強度及び剛性を向上させる役割を有する。
ここで前記粘着層の“粘着”とは、他物に対して付着できることをいい、少なくとも前記剥離シートとの関係で（後述の綴じ片積層体の場合には隣接する綴じ片の主層との関係で）の剥離可能であれば足りる。紙製又は合成樹脂製のシートに関しても、付着させた後の剥離及び再付着が可能であることが望ましいが、被付着物の素材次第で剥離できない、或いは剥離しにくいものであっても構わない。
好適な一実施例として、前記主層Ａをポリエチレンテレフタレート（ＰＥＴ）、前記表面層Ｂを上質紙で形成すると良い。ＰＥＴの厚みは例えば１００μm程度とすると良い。
前記基部４を、主層Ａと粘着層Ｃと表面層Ｂとの三層構造とすることにより、綴じ穴４ｂの周囲が破けたり、綴じ穴４ｂ内に保持された後述の間欠リング体が切り込み線４ｃを通って外れることを防止することができる。
また前記粘着層Ｃのうちで前記先部６に在る部分は、シート１０４を保持する機能を有する。例えばＡ３の紙製シートを保持させるのであれば、当該シートの重み、綴じ片２の先部６の面積、及び、１枚のシートを支えるために用いる綴じ片２の個数などを考慮して、当該粘着層Ｃの粘着力を設計すると良い。また前記粘着層Ｃのうちで基部４にある部分は、前記主層Ａと前記表面層Ｂとの連結材としての機能を有する。
また図１（Ａ）及び図１（Ｂ）に示すように、前記綴じ片２のうちで前記先辺６ａの近傍の部分では前記粘着層Ｃの形成を省略している。そうすることで、前記先辺６ａ近傍の主層部分と、先辺６ａ近傍の表面層部分とを予め分離させ、当該先辺６ａ近傍の表面層部分を摘みＫとして利用することができるようにするためである。
前記綴じ片２を単独で使用するときには、例えば従来公知のバインダー１２０の綴じ具（リング状であって、半リング状の２個の半部が開閉可能に構成されているもの）を、本発明の綴じ片２の綴じ穴４ｂに挿通させれば良い。そして前記摘みＫを摘んで手前に引っ張ることで、前記弱化線Ｗを破断させて、前記粘着層Ｃを露出させ、所望の大きさのシート１０４の一方側部を、前記粘着層Ｃに固定させれば良い。
この使用態様を可能とするため、前記綴じ穴４ｂの規格（穴の間隔など）は、既存のバインダーのものと合わせると良い。
【００２０】
この綴じ片２を利用することのメリットとして、次のことを挙げることができる。
・穴明け機が必要ない。
・穴を開けたくない対象物（印刷物、写真、証明書等）を保存する際に有利である。
・粘着層Ｃを介して対象シートを着脱するので、差替えが容易である。
・既に綴じ片２に貼着した対象シートを外して読むことができる。
・ノートより大きいサイズのシートでも２つ折りして容易に保管できる。
・ポストカードや名刺サイズのものも綴ることができる。
【００２１】
図２は、本発明の実施形態に係る綴じ片２及び綴じ具１２の組み合わせである連結具１０を示している。
前記綴じ片２は、図１の実施形態のものと同じである。
前記綴じ具１２は、本実施形態において従来公知の構成であるので簡単に説明すると、複数の間欠リング体１４を、各間欠リング体１４の間欠部１４ａが相互に隣接する位置に配置される様に棒状の連結部１６を介して連結させて、一方向に繰り返し連続させてなる。
図示例では、一個の綴じ穴４ｂに対して２つの間欠リング体１４を挿通させるために、隣り合う一対の間欠リング体１４同士を短連結部１６ａで連結し、そして間欠リング体１４のペア同士の間を長連結部１６ｂで連結している。もっともこれらの構造は適宜変更できる。
そして本発明の図２（Ａ）に示すように、一対の間欠リング体１４を両側から挟みこむことで相互に接近させ、この状態で両間欠リング体１４を前記切り込み線４ｃを介して綴じ穴４ｂに挿通させれば良い（図２（Ｂ）参照）。
この綴じ片２及び綴じ具１２の組み合わせの使用例としては、例えば綴じ穴付きの表表紙、裏表紙、及びルーズリーフをバラバラの状態で用意し、これらを重ね合わせたシートの束とし、この状態で綴じ穴側がある方の側部の長手方向の両端側の２か所に、本発明の綴じ片２及び綴じ具１２の組み合わせの綴じ具１２を取り付けることで、ノートの形を整え、次に綴じ片２の粘着層Ｃを覆う剥離シートを剥がし、所望の大きさのシートを貼り付ければ良い。
【００２２】
図３は、本発明の実施形態に係る綴じ片付きノート類を示している。
本明細書において、「ノート類」とは、ノート、手帳、バインダーなどをいうものとする。
またノート類を構成する綴じ穴付きのシート状物、例えばルーズリーフ、表表紙、裏表紙、クリアファイル、ポケットファイルなどを、「リーフ」というものとする。
本実施形態では、ノート類１００を構成する表表紙１０２ａ、ルーズリーフ１０２ｃ、裏表紙１０２ｃが、それぞれリーフ１０２に該当する。
そして図示例では、それらリーフ１０２の束の長辺側の上側及び下側にそれぞれ適数（図示例では４個）の綴じ穴（挿通穴）が形成されており、これら綴じ穴に対して、綴じ片１２及び綴じ具１２である連結具１０をそれぞれ取り付け、かつ綴じ片２の粘着層Ｃに別のシート１０４を貼着している。
なお、前記綴じ穴は、前記リーフ１０２の一辺の全長に亘って一定間隔で形成してもよい。
【００２３】
図４は、本発明の実施形態に係る綴じ片積層体３０を示している。この綴じ片積層体３０は、図１に示す綴じ片２の構成のうちで、先部６にある表面層部分を省略し、露出された粘着層Ｃを利用して、上下方向に積み上げられた綴じ片２の先部６同士を連結させている。
【００２４】
図５は、本発明の実施形態に係る綴じ片及び綴じ具とともに用いる連結補助具２０を示している。この連結補助具２０は、一対の縦長の連結板２０の長辺側をヒンジ連結するとともに、この長辺に沿って適所（図示例では上側及び下側の２箇所）に適数の綴じ穴を形成している。この連結補助具２０を、ノート類１００の表紙の先端部を挟むように取付け、この先端部にも連結補助具２０と同じ位置に綴じ穴を開口し、そしてこれら綴じ穴に綴じ具１２を取り付けている。この綴じ具１２を介して本発明の綴じ片２を取り付け、綴じ片２の粘着層Ｃに別のシート１０４を取り付けることができる。
【００２５】
図６は、ノート類１００に対して、ノート類のサイズ（例えばＡ４）の倍のサイズ（例えばＡ３）の紙製シート１０４を２つ折りして取り付ける操作の手順の説明図であり、同図（Ａ）は、本発明の綴じ片及び綴じ具の組み合わせを用いた取付け手順を、同図（Ｂ）は、比較例として従来のバインダーに取り付ける手順を説明している。
説明の都合上、まず同図（Ｂ）に示す手順から先に説明する。この場合に、Ａ３のサイズのシート１０４の一方の側端部に穴明け機などを用いて綴じ穴（挿通穴）を穿設し、そしてそのシート１０４の中心線Оに沿って２つ折りすると、前記一方の側端部をノート類１００の綴じ具１２２に留めたときに、他方の側端部が前記綴じ具１２２に当たって邪魔になる。一枚のシートだけならともかく何枚も留めるべきシートがあると、前記綴じ具１２に当たる側端部の厚みが多く、嵩張るので、ノート類１００を適当に綴じることができなくなる可能性がある。
そこで図示するように、前記シート１０４の一方の側端部に穿設した綴じ穴を、ノート類１００の綴じ具１２に留めた後に、当該シート１０４を、中心線Оからずれた位置（綴じ具１２から離れた位置）で折り曲げ、前記シート１０４の他方の側端部が綴じ具１２に当たらないようにするひつようがある。
これに対して、本発明の綴じ片２及び綴じ具１２の組み合わせを用いるときには、図６（Ａ）に示すように、まず当該シート１０４を中心線で２つ折りにし、綴じ片２の剥離シートを剥がしてシートの一方側端部を貼着すればよい。従来の方法に比べて次の利点がある。
（１）最初にシート１０４を中心線で２つ折りすればよいので、シートの端と端とを合わせるなどして、素早くかつ正確に２つ折りすることができる。
（２）シート１０４に穿設をする必要がない。
【符号の説明】
【００２６】
２…綴じ片  ４…基部  ４ａ…基辺  ４ｂ…綴じ穴  ４ｃ…切り込み線
６…先部  ６ａ…先辺  
１０…連結具
１２…綴じ具  １４…間欠リング体  １４ａ…間欠部
１６…連結部  １６ａ…第１連結部（短連結部）１６ｂ…第２連結部（長連結部）
２０…連結補助具  ２２…連結板  ２４…挿通孔
３０…綴じ片積層体
１００…ノート類  １０２…リーフ  １０２Ａ…表紙  １０２Ｂ…裏表紙
１０２Ｃ…ルーズリーフ  １０４…シート
１２０…バインダー  １２２…従来型綴じ具
Ａ…主層  Ｂ…表面層（剥離シート）  ｂ１…第１表層部分  ｂ２…第２表層部分
Ｃ…粘着層  ｄ…綴じ代  Ｋ…摘み  Ｗ…弱化線
【図１】
2020097120.tif 000003
【図２】
2020097120.tif 000004
【図３】
2020097120.tif 000005
【図４】
2020097120.tif 000006
【図５】
2020097120.tif 000007
【図６】
2020097120.tif 000008